(57)【特許請求の範囲】
【請求項１】
歯科治療用インスツルメントのハンドピース部を着脱自在に保持するホルダと、該ホルダを着脱自在に取り付け可能な固定プレートと、該固定プレートに配設され、前記ホルダに前記インスツルメントが保持されているか否かを検出するセンサとを有し、前記固定プレートは、前記ホルダを着脱自在に保持する孔を有し、前記ホルダは、下部に前記孔に挿脱自在に装着される脚部を有するとともに、上部に前記ハンドピースを保持する握持部を有し、該握持部は、ハンドピースの一方の側部を収納する凹部を有する前記脚部と一体の固定側握持片と、該固定側握持片に対向して前記ハンドピースの反対側の側部を収納する凹部を有し、かつ、ピン軸を介して前記固定側握持片に対して回動可能に設けられた可動側握持片と、該可動側握持片を前記固定側握持片に対して押圧するバネ部材とを有し、該バネ部材の押圧力に抗して前記固定側握持片の凹部と可動側握持部の凹部との間に前記ハンドピースを挿入、挟持するようにしたことを特徴とするインスツルメントホルダ。
【発明の詳細な説明】
【０００１】
【発明の属する技術分野】
本発明は、歯科治療において用いるエアータービン，マイクロエンジン，シリンジ等の各種歯科治療用インスツルメント（ハンドピース）を保持するインスツルメントホルダに関する。
【０００２】
【従来の技術】
図４は、本発明が適用される歯科治療ユニットの一例を示す全体構成図で、図中、１０は歯科治療ユニットで、該ユニット１０は、治療椅子１、ワークテーブル２、スピットン３、給排ボックス４、インスツルメントホルダ５、フットスイッチ６、アシスタントインスツルメントホルダ７等から成り、インスツルメントホルダ５には、歯科治療において使用する種々のインスツルメント（ハンドピース）８が収納されており、周知のように、歯科治療に当り、患者は椅子１に座り、頭を安頭台９に固定して治療を受ける。治療中、術者は治療椅子１を上下動，倒起動，傾斜動等させて、患者を治療しやすい姿勢にして治療を行う。
【０００３】
【発明が解決しようとする課題】
上述のごとき歯科治療ユニットにおいて、インスツルメントホルダ５には、周知のように、エアータービン、マイクロエンジン、シリンジ等種々の歯科治療用インスツルメント８が搭載され、必要とされるインスツルメント８が該インスツルメントホルダ５から引き出されて使用されるが、従来のインスツルメントホルダ５は、図５に拡大して概略を示すように、ヘッド部８ａが手前側（ドクター側）になるように、インスツルメント８を収納しており、インスツルメント８をインスツルメントホルダ５から引き出す時に、術者（ドクター）の手がヘッド部８ａに当てて危険であり、また、引き出した後に、持ち換えて（握り換えて）治療しなければならず、同様に、戻す時も握り換えて戻さなければならず、操作が煩わしいという問題があった。
【０００４】
本発明は、上述のごとき実情に鑑みてなされたもので、術者の手がハンドピースのヘッド部に当たるような危険がなく、しかも、インスツルメントを引き出す時の持ち方（握り方）のままで治療が行なえ、又は治療を行っている時の持ち方（握り方）のままで戻すことができるように、インスツルメントを保持することのできるインスツルメントホルダを提供することを目的としてなされたものである。
【０００５】
【課題を解決するための手段】
本発明は、歯科治療用インスツルメントのハンドピース部を着脱自在に保持するホルダと、該ホルダを着脱自在に取り付け可能な固定プレートと、該固定プレートに配設され、前記ホルダに前記インスツルメントが保持されているか否かを検出するセンサとを有し、前記固定プレートは、前記ホルダを着脱自在に保持する孔を有し、前記ホルダは、下部に前記孔に挿脱自在に装着される脚部を有するとともに、上部に前記ハンドピースを保持する握持部を有し、該握持部は、ハンドピースの一方の側部を収納する凹部を有する前記脚部と一体の固定側握持片と、該固定側握持片に対向して前記ハンドピースの反対側の側部を収納する凹部を有し、かつ、ピン軸を介して前記固定側握持片に対して回動可能に設けられた可動側握持片と、該可動側握持片を前記固定側握持片に対して押圧するバネ部材とを有し、該バネ部材の押圧力に抗して前記固定側握持片の凹部と可動側握持部の凹部との間に前記ハンドピースを挿入、挟持するようにしたことを特徴としたものである。
【００１０】
【発明の実施の形態】
図１は、本発明によるインスツルメントホルダの一実施形態を説明するための要部概略構成図で、図１（Ａ）は斜視図、図１（Ｂ）は側面図を示し、図中、２はワークテーブル、８はインスツルメント、１１はインスツルメントホルダ固定板、１２はインスツルメントホルダで、インスツルメントホルダ固定板１１は、図６に示したインスツルメントホルダ５と同様、連結アーム１３を介してワークテーブル２に回動自在に取り付けられている。
【００１１】
而して、本発明においては、図１に示したように、インスツルメント（ハンドピース）８は、そのヘッド部８ａがワークテーブル２の方を向いており（術者から離れた側を向いており）、インスツルメント８を取り出す時、或いは、収納する時に、それ自身或いは他のインスツルメントのヘッド部に術者の手が当たるようなことがなく、従って、術者が怪我するようなことはなく、また、いきなり、治療作業時の握り方でインスツルメントを取り上げることができ、また、治療作業時の握り方で元に戻すことができ、操作性が非常に良い。
【００１２】
図２は、本発明によるインスツルメントホルダの一使用状態を説明するための要部拡大構成図で、図示のように、インスツルメントホルダ固定板１１には、インスツルメントホルダ１２を挿脱自在に装着するための孔１１ａと光センサ１４を配設するための凹部１１ｂが設けられており、該光センサ１４によって、インスツルメント８が使用中であることを検知し、周知ように、取り出された（使用中の）インスツルメントに関する動力源等を選択し、該インスツルメントを使用可能状態にする。なお、図示例の場合においては、光センサ１４を用いてインスツルメント８の有無を検知するようにしているが、光センサに限ることなく、必要に応じて任意所望のセンサを用いることができる。
【００１３】
図３（Ａ）及び図３（Ｂ）は、それぞれ前記インスツルメントホルダ１２の具体例を示す図で、これらインスツルメントホルダ１２は、下部にインスツルメントホルダ固定板１１に設けられた孔１１ａに着脱自在に挿入される脚部１２ａを有し、上部にハンドピース８を保持する握持部１２ｂを有し、該インスツルメントホルダ固定板１１より時々取り外してオートクレーブ等の殺菌を行うことができるようになっている（勿論、材料としては、オートクレーブ可能な材料を用いる）。
【００１４】
図３（Ａ）に示した例は、上部握持部１２ｂが、前記脚部１２ａと一体の固定握持部材１２ｂ１と、該固定握持部材１２ｂ１に対向して配設され、かつ、ピン軸１２ｃまわりに回動自在の回動握持部材１２ｂ２よりなり、該回動握持部材１２ｂ２はバネ部材１２ｄにより、前記固定握持部材１２ｂ１側に押されている。握持部材１２ｂ１，１２ｂ２はそれぞれ対向する側が図示のように凹部に形成され、インスツルメント８が上部より（矢印方向に）挿入されると、回動握持部材１２ｂ２がバネ部材１２ｄを押圧して開き、該インスツルメント８を固定側握持部材１２ｂ１と回動側握持部材１２ｂ２との間に挿入され、挿入された後は、バネ部材１２ｄにより回動握持部材１２ｂ２が元の状態に戻るよう押され、このバネ部材１２ｄの押圧力によって、ハンドピース８を握持部１２ｂに保持（固定握持部材１２ｂ１と回動握持部材１２ｂ２の間に挟持）することができる。なお、インスツルメント８を取り出す時は、インスツルメント（ハンドピース）８を上方に持ち上げると、握持部材１２ｂ１、１２ｂ２間がバネ部材１２ｄの押圧力に抗して開き、インスツルメント８を取り出すことができる。この時、インスツルメントホルダ１２が一緒に持ち上がってしまわないようにするため、インスツルメントホルダ１２の脚部１２ａは周知の方法で固定板１１に着脱自在にロックされるように取り付けられている。
【００１５】
図３（Ｂ）は、インスツルメントホルダ１２のインスツルメント握持部材１２ｂ１，１２ｂ２を弾性部材で構成し、この弾性力に抗してインスツルメント８を上部より（矢印方向に）挿入し、挿入後は、これら握持部材１２ｂ１，１２ｂ２の弾性力により、握持，保持し、取り出す時は、弾性力に抗してインスツルメントを上方に持ち上げることで、取り出すようにしたものである。この例によると、図３（Ａ）の例に比し、ピン１２ｃやバネ部材１２ｄを使用することなく、また、両握持部材１２ｂ１，１２ｂ２が一体形成されているので、構造が簡単で、かつ、安価に製作できる。
【００２０】
【発明の効果】
以上の説明から明らかなように、本発明によると、インスツルメント（ハンドピース）を使用する時の握り方又は使用している時の握り方で、インスツルメントをインスツルメントホルダから取り出し、或いは、インスツルメントホルダに収納することができる。
また、インスツルメントのヘッド部が術者（ドクター）側を向いていないので、術者が誤って手先等を触れることがなく、安全である。
更には、インスツルメントのヘッド部をインスツルメントホルダの内部に収納することで、更に、安全性を向上させることができる。
【図面の簡単な説明】
【図１】本発明によるインスツルメントホルダの概要を説明するための要部概略構成図である。
【図２】本発明によるインスツルメントホルダの一使用状態を示す要部概略構成図である。
【図３】本発明によるインスツルメントホルダの実施例を説明するための図である。
【図４】本発明が適用される歯科治療ユニットの要部構成図である。
【図５】従来のインスツルメントホルダの例を説明するための図である。
【符号の説明】
８…インスツルメント（ハンドピース）、１１…インスツルメントホルダ固定板、１２…インスツルメントホルダ、１４…センサ。
【図１】
0003587668.tif 000002
【図２】
0003587668.tif 000003
【図３】
0003587668.tif 000004
【図４】
0003587668.tif 000005
【図５】
0003587668.tif 000006